(57)【要約】      （修正有）【課題】鉢花に適用する土壌湿度測定アラームを提供する。【解決手段】土壌湿気測定アラームのサンプリング回路は、ＭＣＵ９のピンＰＡＤＢ１で抵抗器５をプローブ３へ直列接続し、ＭＣＵ９のピンＰＡＤＢ０で抵抗器８をプローブ２へ直列接続し、電源器１のマイナス極及びプローブ２との間に直列接続されたコンデンサー４からなり、サンプリングはキーの切替により制御され、ＭＣＵは土壌の現在湿度から生じた抵抗値がコンデンサーに影響を与え、その時のコンデンサーに必要とされる充電時間がＭＣＵに保存されるようになる。アラームを鳴らすかはサンプリング設定値となるその数値に準拠する。よって、使用者がキーの切替により現在の土壌温度に対して正確なサンプリングを行うことができ、土壌湿度測定アラームは鉢花の実際状況に応じて毎回正確にアラームを鳴らすことができる。【選択図】図２
0003144362.tif 000002
【実用新案登録請求の範囲】
【請求項１】
ハウジング、プローブ及び制御回路が設けられており、前記制御回路は、サンプリング回路があり、前記サンプリング回路は、ＭＣＵ（９）のピンＰＡＤＢ１で、抵抗器（５）をプローブ（３）へ直列接続し、ＭＣＵ（９）のピンＰＡＤＢ０で、抵抗器（８）をプローブ（２）へ直列接続し、電源器（１）のマイナス極及びプローブ（２）との間に直列接続されたコンデンサー（４）からなるものであることを特徴とする土壌湿度測定アラーム。
【請求項２】
前記制御回路は更に節電回路があり、前記節電回路は、ＭＣＵ（９）のピンＰＡＤＢ０で接続した三極管（１３）、抵抗器（１２、１５、１６、１８）により前記三極管（１３）とそれぞれ接続し、形成されたバイアス抵抗器、及び前記三極管（１３）のベース及びエミッタの間に並列接続したコンデンサー（１７）からなることを特徴とする請求項１に記載の土壌湿度測定アラーム。
【請求項３】
前記ＭＣＵ（９）のピンＰＡＤＢ３は、光センサー（１０）に接続していることを特徴とする請求項１に記載の土壌湿度測定アラーム。
【請求項４】
前記ＭＣＵ（９）はアラーム音が既に保存されておかれ、前記アラーム音は警報音、鳥の鳴き声又はその他の動物の鳴き声が可能であることを特徴とする請求項１に記載の土壌湿度測定アラーム。
【考案の詳細な説明】
【技術分野】
【０００１】
本考案は、土壌湿度測定アラームであり、特に鉢花や盆栽に適用する土壌湿度測定アラームである。
【背景技術】
【０００２】
従来、花や草を植えることは、より高い観賞価値が得られると同時に、身を修め、性質を養い、空気を浄化することにもつながる。高層ビルが並び、ひどく汚染された都会や人込みで、特に植物と戯れるのが好きになるが、土地が限られているため、小さな鉢花を植えるのが都会の人々に最もよい選択である。
【０００３】
これについて、鉢花に使われた土壌が少なく、水分が全部流失されやすくなるため、鉢花の生存率が比較的に低い、という問題点に対して、市販の土壌湿度測定アラームがあり、それを利用して、土壌の湿度をちゃんと監視し、鉢花の健康と成長を確保するために、正確でかつタイムリーで水分をやるようにしている。
【０００４】
土壌湿度測定アラームは、主に測定プローブ、測定抵抗器回路及びアラーム表示回路からなるものであり、使用時、土壌湿度測定アラームの測定プローブを監視対象の鉢花の土壌へ差し込むようになっており、土壌の水分が少ない場合、土壌の抵抗値が高くなり、測定抵抗器回路は、測定プローブにより測定された土壌測定値及びその自身のICチップ内のプリセット正常値を持続的に比較して、その時の土壌の抵抗値が高くなると、アラーム表示回路からアラーム音を鳴らし、水をやるようと人々に知らせるようになっている。
【０００５】
しかし、従来の土壌湿度測定アラームは、使用の時、次のような問題点がある。すなわち、土壌湿度測定アラームのプリセット正常値は、メーカーが当該製品を作った時に事前に設定した固定値であり、実際は地域により気候が異なるので、花の品種により水分が必要とされる具合も異なるため、従来の土壌湿度測定アラームは、実際の栽培状況に応じて、正確にアラーム表示を行うことができないのである。
【考案の開示】
【考案が解決しようとする課題】
【０００６】
上述した従来の技術の問題点を鑑みて、本考案の目的は、使用者が実際栽培状況に応じて必要とされる土壌湿度数値を定義することができる土壌湿度測定アラームを提供することである。
【課題を解決するための手段】
【０００７】
すなわち、ハウジング、プローブ及び制御回路が設けられており、前記制御回路はサンプリング回路があり、前記サンプリング回路は、ＭＣＵでそれぞれ一抵抗器を二プローブへ直列接続し、電源器のマイナス極及びその中のプローブとの間に直列接続されたコンデンサーからなるものであることを特徴とする土壌湿度測定アラームであり、ＭＣＵが休み状態にある時、コンデンサーが放電されるようになり、ＭＣＵが作動した時、二プローブの間の抵抗器からコンデンサーへ充電するようになっており、二プローブが土壌に差し込んだとき、湿度により抵抗値が得られるようになるため、土壌が乾燥した場合、抵抗が大きく、コンデンサーの充電に必要な時間が長くなり、土壌が湿っている場合、抵抗が小さく、コンデンサーの充電に必要な時間が短くなっており、また、サンプリングは、キーの切替により制御されるようになっており、ＭＣＵは、土壌の現在湿度から生じた抵抗値がコンデンサーに影響を与え、その時のコンデンサーに必要とされる充電時間がＭＣＵに保存されるようになり、アラームを鳴らすかどうか、その数値に準拠するので、その数値はサンプリング設定値である。
【０００８】
また、土壌湿度測定アラームの節電効果を高めるために、前記制御回路は更に節電回路が設けられており、前記節電回路はＭＣＵで接続した三極管、バイアス抵抗器、及び前記三極管のベース及びエミッタの間に並列接続したコンデンサーからなるものであり、ＭＣＵが電源器に接続したとき、土壌湿度を測定するための遅延時間があるため、ＭＣＵは３０秒ごとに作動させるように設定されており、起動されたＭＣＵは土壌の抵抗値を測定したところ、サンプリング設定値より小さい場合、ＭＣＵがアラーム音を鳴らず、すぐ休み状態に入るが、サンプリング設定値より大きい場合、アラームを鳴らすうようになる。
【０００９】
土壌湿度測定アラームの節電効果を高めるために、前記ＭＣＵはまた光センサーが設けられており、光りがある場合、光センサーの抵抗が小さくなり、光りがない場合、光センサーの抵抗が大きくなるため、その原理を利用して、夜に入ると、前記ＭＣＵは土壌が乾燥したり、湿ったりしても、アラーム音を鳴らさないようになっている。
【考案の効果】
【００１０】
以上の設計により、本考案は、次のような効果がある。土壌湿度測定アラームは、サンプリング回路が設けられているため、使用者がキーの操作により、現在の土壌湿度を正確にサンプリングし、鉢花の実際状況に応じて、毎回正確にアラームを鳴らすことができるのである。
【考案を実施するための最良の形態】
【００１１】
以下に、図面を見ながら、本考案の実施形態を更に詳しく説明する。
図１は、本考案の外観構造イメージである。図２は、本考案の回路図である。
図面の記号は次のようになる。
１は電源器、６はキー、（１２、１５、１６、１８）は抵抗器、（２、３）はプローブ。７はスピーカー、１１はハウジング、（４、１１）はコンデンサー、９はＭＣＵ、１３は三極管、（５、８は）抵抗器、１０は光センサーである。
【００１２】
すなわち、図１、図２に示すように、本考案の土壌湿度測定アラームは、ハウジング、プローブ及び制御回路が設けられており、前記制御回路は、ハウジング内に設けられており、プローブ２、３はハウジングの外に伸びており、ハウジングの外観は鳥の形に設けられている。
【００１３】
本考案の土壌湿度測定アラームは、上述した土壌湿度測定アラームの有する一般的な構造及び電子回路のほかに、その制御回路はサンプリング回路及び節電回路が設けられている。
【００１４】
前記ＭＣＵ９はアラーム音が既に保存されておかれ、前記アラーム音は警報音、鳥の鳴き声又はその他の動物の鳴き声が可能である；また、前記ＭＣＵ９には、土壌１９の湿度がサンプリング設定値の対応限度２０％に下がった場合、前記ＭＣＵ９がスピーカー７に３０秒ごとに、水をやるようとアラームを一回鳴らすようにし、土壌１９の湿度がサンプリング設定値の対応限度１０％に上がった場合、前記ＭＣＵ９がスピーカー７にアラームを鳴らさないようにする、という制御番号が設けられている。
【００１５】
前記電源器１はボタン電池を、コンデンサー４は無極性０．１ｕＦを採用するものであり、抵抗器５、８の抵抗値は何れも１００オーム、抵抗器１２の抵抗値は１．５オーム、抵抗器１５、１８は何れも１Ｍオームであり、コンデンサー１７は電解コンデンサー４７ｕＦを採用、三極管１３は８５５０型、キー６はタッチスイッチを採用しているものである。
【００１６】
サンプリング回路は、ＭＣＵ９のピンＰＡＤＢ１で、抵抗器５をプローブ３へ直列接続し、そしてＭＣＵ９のピンＰＡＤＢ０で、抵抗器８をプローブ２へ直列接続し、電源器１のマイナス極及びプローブ２との間に直列接続されたコンデンサー４からなるものである。
【００１７】
ＭＣＵ９が休み状態にある場合、ピンＰＡＤＢ１とピンＰＡＤＢ０は低電圧になり、コンデンサー４は抵抗器８を通ると、コンデンサー４内が放電するようになり、ＭＣＵ９が起動すると、ピンＰＡＤＢ１から高電圧が出力され、それが抵抗器５及び二プローブ２、３の間にある抵抗器を通って、コンデンサー４へ充電するようになっており、二プローブ２、３が土壌に差し込まれてから得た抵抗値は、湿度によるものであるため、土壌１９が乾燥した場合、抵抗が大きくて、ＭＣＵ９のピンＰＡＤＢ１から、抵抗器５及び二プローブ２、３の間にある抵抗器を通って、コンデンサー４へ充電する速度が遅く、必要時間が長くなるが、土壌が湿っている場合、抵抗が小さくて、コンデンサー４へ充電する速度が速く、必要時間が短くなり、抵抗器８を通ってＭＣＵ９のピンＰＡＤＢ０へ入力されるように充電される。
【００１８】
ＭＣＵ９には、キー６を三秒以上押すと、制御モードからサンプリングモードに切り替えるようと設定されており、ＭＣＵ９は、土壌１９の現在湿度から生じた抵抗値がコンデンサーに影響を与え、その時のコンデンサー４に必要とされる充電時間がＭＣＵ９に保存されるようになり、アラームを鳴らすかどうか、その数値に準拠するので、その数値はサンプリング設定値であり、それと同時にスピーカー７は、土壌１９のサンプリング完成を表すための指示音を一つ鳴らし、サンプリング時間が確定されるようになるが、土壌１９の湿度が下がり、抵抗値が大きく、設定限度の一定比率になった場合、コンデンサー４への充電時間がサンプリングに保存された時間より長いと、ＭＣＵ９がスピーカー７に３０秒ごとに、水をやるようとアラームを一回鳴らすようにし、土壌に水をやってから、抵抗値が下がり、充電時間がサンプリングに保存された時間より短いと、ＭＣＵ９がスピーカー７にアラームを鳴らさないようにするようになる。
【００１９】
節電回路は、ＭＣＵ９のピンＰＡＤＢ２で接続した三極管１３、抵抗器（１２、１５、１６、１８）により前記三極管１３とそれぞれ接続し、形成されたバイアス抵抗器、及び前記三極管１３のベース及びエミッタの間に並列接続したコンデンサー１７からなるものである。
【００２０】
ＭＣＵ９はピンＰＡＤＢ２よりＭＣＵ９の測定を定時的に起こすようにしており、その原理としては、抵抗器１２、１５、１６、１８は三極管１３のバイアス抵抗器で、コンデンサー１７は充放電用コンデンサーであり、ＭＣＵ９が電源器に接続したとき、土壌湿度を測定するための遅延時間があるため、ＭＣＵ９は３０秒ごとに作動されるように設定されており、ＭＣＵ９が起動され、測定結果の土壌１９の抵抗値は、サンプリング設定値より小さい場合、ＭＣＵ９がアラーム音を鳴らず、すぐ休み状態に入るが、もし、サンプリング設定値より大きい場合、アラームを鳴らすうようになるのである。
【００２１】
キー６を押したとき、コンデンサー１７へ放電し、ピンＰＡＤＢ２が入力状態に変わり、コンデンサー１７の充電待ちになるが、そのとき、コンデンサー１７のマイナス極が低くなり、コンデンサー１７が抵抗器１５を通って充電されるようになりはじめ、三極管１３のベース電圧が次第に下がり、三極管１３のベース電圧がスイッチ電圧まで下がった場合、集じん電極の電圧が高くなり、ＭＣＵ  ９は休み状態から立ち上がり、上述のサンプル回路により土壌１９の湿度を測定、サンプリングする。
【００２２】
ＭＣＵ９のピンＰＡＤＡ３には、更に光センサー１０が設けられており、光りがある場合、光センサー１０の抵抗が小さくなり、光りがない場合、光センサー１０の抵抗が大きくなるため、その原理を利用して、夜に入ると、ＭＣＵ９は土壌１９が乾燥したり、湿ったりしても、アラーム音を鳴らさないようになっている。
【００２３】
使用するとき、土壌湿度測定アラームのプローブ２、３を土壌１９に差し込んで、キー６を押したままで、現在の湿度値をサンプリングすることができ、そして、スピーカー７から指示音が出ると、サンプリング完成になるが、そのとき、土壌１９に水が不足した場合、アラーム音が自動的に鳴り、水をやって、湿度が回復すると、アラーム音が止まるようになる。
【図面の簡単な説明】
【００２４】
【図１】本考案の外観構造イメージである。
【図２】本考案の回路図である。
【符号の説明】
【００２５】
１        電源器
２、３    プローブ
４、１１  コンデンサー
５、８    抵抗器
６        キー
７        スピーカー
９        ＭＣＵ
１０        光センサー
１１        ハウジング
１２、１５、１６、１８  抵抗器
１３        三極管
【図１】
0003144362.tif 000003
【図２】
0003144362.tif 000004